(57)【特許請求の範囲】
【請求項１】
コード通し取付け孔を有する孔付き物品、
前記コード取付け孔に折り二本にして通すことが可能な太さの１本の非ループ形態であるコードからなるストラップ本体、このストラップ本体の一方の端方に設けられた第１の潜らせ物品、前記ストラップ本体の他方に設けられた第２の潜らせ物品とからなる携帯ストラップを前記コート通し取付け孔に取り付ける取付方法であって、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品と前記第２の潜らせ物品を潜らせ、前記第１の潜らせ物品と前記第２の潜らせ物品あるいはその二本のコード部分引いて前記潜らせループを締めることによって取り付けることを特徴とする携帯ストラップの取付方法。
【請求項２】
コード通し取付け孔を有する孔付き物品、
前記コード取付け孔に折り二本にして通すことが可能な太さの１本の非ループ形態であるコードからなるストラップ本体、このストラップ本体の一方の端方に設けられた第１の潜らせ物品、前記ストラップ本体の他方に設けられた第２の潜らせ物品、前記ストラップ本体に摩擦移動可能に取り付けられかつ好みの位置でその弾性摩擦力によって止め置くことができる少なくとも２個の摩擦移動ストッパーとからなる携帯ストラップを前記コート通し取付け孔に取り付ける取付方法であって、
前記摩擦移動ストッパーの少なくとも１個を前記第１の潜らせ物品側に位置させて第１の側の摩擦移動ストッパーとし、前記摩擦移動ストッパーの少なくとも１個を前記第２の潜らせ物品側に位置させて第２の側の摩擦移動ストッパーとし、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品および前記第１の側の摩擦移動ストッパーと前記第２の潜らせ物品および前記第２の側の摩擦移動ストッパーを潜らせ、前記第１の潜らせ物品と前記第２の潜らせ物品あるいはその二本のコード部分引いて前記潜らせループを締め、前記第１の側の摩擦移動ストッパーおよび前記第２の側の摩擦移動ストッパーを前記孔付き物品側に移動させて止め置き、この止め置きによって締めた前記潜らせループが広がらないように取り付けることを特徴とする携帯ストラップの取付方法。
【請求項３】
第１の潜らせ物品および第２の潜らせ物品あるいはいずれか一方が、カニ環や引き環などの開閉部付き環部材、単なる環部材あるいはストラップ本体をループ形成した環部などからなる後付物品着脱部であって、この後付物品着脱部を潜らせループに潜らせた後で該後付物品着脱部に後付物品を着脱自在形態で取り付けられるようにしたことを特徴とする請求項１、２のいずれかに記載の携帯ストラップの取付方法。
【請求項４】
コード通し取付け孔を有する孔付き物品、
前記コード取付け孔に折り二本にして通すことが可能な太さの１本の非ループ形態であるコードからなるストラップ本体と、
このストラップ本体の一方の端方に設けられた第１の潜らせ物品と、
前記ストラップ本体の他方に設けられた第２の潜らせ物品とからなるとともに、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品と前記第２の潜らせ物品を潜らせ、前記第１の潜らせ物品と前記第２の潜らせ物品あるいはその二本のコード部分引いて前記潜らせループを締めることによって取り付けることを特徴とする携帯ストラップ。
【請求項５】
ストラップ本体に摩擦移動可能に取り付けられかつ好みの位置でその弾性摩擦力によって止め置くことができる少なくとも２個の摩擦移動ストッパーを設けるとともに、
前記摩擦移動ストッパーの少なくとも１個を第１の潜らせ物品側に位置させて第１の側の摩擦移動ストッパーとし、摩擦移動ストッパーの少なくとも１個を前記第２の潜らせ物品側に位置させて第２の側の摩擦移動ストッパーとし、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品および前記第１の側の摩擦移動ストッパーと前記第２の潜らせ物品および前記第２の側の摩擦移動ストッパーを潜らせ、前記第１の潜らせ物品と前記第２の潜らせ物品あるいはその二本のコード部分引いて前記潜らせループを締め、前記第１の側の摩擦移動ストッパーおよび前記第２の側の摩擦移動ストッパーを前記孔付き物品側に移動させて止め置き、この止め置きによって締めた前記潜らせループが広がらないように取り付けることを特徴とする請求項４記載の携帯ストラップ。
【請求項６】
第１の潜らせ物品および第２の潜らせ物品あるいはいずれか一方が、カニ環や引き環などの開閉部付き環部材、単なる環部材あるいはストラップ本体をループ形成した環部などからなる後付物品着脱部であって、この後付物品着脱部を潜らせループに潜らせた後で該後付物品着脱部に後付物品を着脱自在形態で取り付けられるようにしたことを特徴とする請求項４、５のいずれかに記載の携帯ストラップ。
【発明の詳細な説明】
【技術分野】
【０００１】
本発明は、主にコード通し取付け孔を有する携帯電話、携帯音楽プレイヤー、携帯カメラ、財布などに、前記コート通し取付け孔にコードを通して取り付ける携帯ストラップの取り付け方法および携帯ストラップに関する。
【背景技術】
【０００２】
携帯電話、デジタルカメラ、音楽プレイヤーなどのコード通し取付け孔付き物品には開口２ｍｍ〜４ｍｍ程度のコード通し取付け孔（リングなども含む）が設けられている。
このコード通し取付け孔付き物品のコード通し取付け孔には、潜らせ物品（人形、アクセサリー、キャラクター、手首取付け部材、ナス環・引輪などの開閉環部材・・・）に取り付けられた松葉、ヘビロなどと呼ばれるループコード（ストラップ本体）を通して物品潜らせループを形成し、この物品潜らせループに潜らせ物品を潜らせてループコードをコード通し取付け孔付き物品に取り付ける携帯ストラップの取り付け方法が知られている。（例えば特許文献１）
【先行技術文献】
【特許文献】
【０００３】
【特許文献１】特開2006-247083号公報
【非特許文献】
【０００４】
【非特許文献１】特になし
【発明の概要】
【発明が解決しようとする課題】
【０００５】
特許文献１のものは、ループコード（ストラップ本体）が閉じたループ形態であるために、コード通し取付け孔付き物品の取り付け根本部分からループコード（ストラップ本体）を二股（以下「取り付け根本分かれ開放二股形態」という）に分離することができず、よって、取り付け根本分かれ開放二股形態でループコード（ストラップ本体）の両端方にそれぞれ別体の潜らせ物品を設けることができないという欠点を有するものであった。
【０００６】
本発明は以上のような従来技術の欠点に鑑み、
本発明の第１の目的は、ストラップ本体の両端方にそれぞれ別体の潜らせ物品を設けるとともに、取り付け根本分かれ開放二股形態での取付けを実現する携帯ストラップの取付方法および携帯ストラップを提供することにある。
また、本発明の第２の目的は、前記第１の目的の取り付け根本分かれ開放二股形態での一方のコードと他方のコードの長さが容易には変わらない状態とできる携帯ストラップの取付方法および携帯ストラップを提供するにある。
【課題を解決するための手段】
【０００７】
上記目的を達成するために、本発明は次のような構成となっている。
＜請求項１記載の発明＞
コード通し取付け孔を有する孔付き物品、
前記コード取付け孔に折り二本にして通すことが可能な太さの１本の非ループ形態であるコードからなるストラップ本体、このストラップ本体の一方の端方に設けられた第１の潜らせ物品、前記ストラップ本体の他方に設けられた第２の潜らせ物品とからなる携帯ストラップを前記コート通し取付け孔に取り付ける取付方法であって、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品と前記第２の潜らせ物品を潜らせ、前記第１の潜らせ物品と前記第２の潜らせ物品あるいはその二本のコード部分引いて前記潜らせループを締めることによって取り付けることを特徴とする携帯ストラップの取付方法である。
＜請求項２記載の発明＞
コード通し取付け孔を有する孔付き物品、
前記コード取付け孔に折り二本にして通すことが可能な太さの１本の非ループ形態であるコードからなるストラップ本体、このストラップ本体の一方の端方に設けられた第１の潜らせ物品、前記ストラップ本体の他方に設けられた第２の潜らせ物品、前記ストラップ本体に摩擦移動可能に取り付けられかつ好みの位置でその弾性摩擦力によって止め置くことができる少なくとも２個の摩擦移動ストッパーとからなる携帯ストラップを前記コート通し取付け孔に取り付ける取付方法であって、
前記摩擦移動ストッパーの少なくとも１個を前記第１の潜らせ物品側に位置させて第１の側の摩擦移動ストッパーとし、前記摩擦移動ストッパーの少なくとも１個を前記第２の潜らせ物品側に位置させて第２の側の摩擦移動ストッパーとし、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品および前記第１の側の摩擦移動ストッパーと前記第２の潜らせ物品および前記第２の側の摩擦移動ストッパーを潜らせ、前記第１の潜らせ物品と前記第２の潜らせ物品あるいはその二本のコード部分引いて前記潜らせループを締め、前記第１の側の摩擦移動ストッパーおよび前記第２の側の摩擦移動ストッパーを前記孔付き物品側に移動させて止め置き、この止め置きによって締めた前記潜らせループが広がらないように取り付けることを特徴とする携帯ストラップの取付方法である。
＜請求項３記載の発明＞
第１の潜らせ物品および第２の潜らせ物品あるいはいずれか一方が、カニ環や引き環などの開閉部付き環部材、単なる環部材あるいはストラップ本体をループ形成した環部などからなる後付物品着脱部であって、この後付物品着脱部を潜らせループに潜らせた後で該後付物品着脱部に後付物品を着脱自在形態で取り付けられるようにしたことを特徴とする請求項１、２のいずれかに記載の携帯ストラップの取付方法である。
＜請求項４記載の発明＞
コード通し取付け孔を有する孔付き物品、
前記コード取付け孔に折り二本にして通すことが可能な太さの１本の非ループ形態であるコードからなるストラップ本体と、
このストラップ本体の一方の端方に設けられた第１の潜らせ物品と、
前記ストラップ本体の他方に設けられた第２の潜らせ物品とからなるとともに、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品と前記第２の潜らせ物品を潜らせ、前記第１の潜らせ物品と前記第２の潜らせ物品あるいはその二本のコード部分引いて前記潜らせループを締めることによって取り付けることを特徴とする携帯ストラップである。
＜請求項５記載の発明＞
ストラップ本体に摩擦移動可能に取り付けられかつ好みの位置でその弾性摩擦力によって止め置くことができる少なくとも２個の摩擦移動ストッパーを設けるとともに、
前記摩擦移動ストッパーの少なくとも１個を第１の潜らせ物品側に位置させて第１の側の摩擦移動ストッパーとし、摩擦移動ストッパーの少なくとも１個を前記第２の潜らせ物品側に位置させて第２の側の摩擦移動ストッパーとし、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品および前記第１の側の摩擦移動ストッパーと前記第２の潜らせ物品および前記第２の側の摩擦移動ストッパーを潜らせ、前記第１の潜らせ物品と前記第２の潜らせ物品あるいはその二本のコード部分引いて前記潜らせループを締め、前記第１の側の摩擦移動ストッパーおよび前記第２の側の摩擦移動ストッパーを前記孔付き物品側に移動させて止め置き、この止め置きによって締めた前記潜らせループが広がらないように取り付けることを特徴とする請求項４記載の携帯ストラップである。
＜請求項６記載の発明＞
第１の潜らせ物品および第２の潜らせ物品あるいはいずれか一方が、カニ環や引き環などの開閉部付き環部材、単なる環部材あるいはストラップ本体をループ形成した環部などからなる後付物品着脱部であって、この後付物品着脱部を潜らせループに潜らせた後で該後付物品着脱部に後付物品を着脱自在形態で取り付けられるようにしたことを特徴とする請求項４、５のいずれかに記載の携帯ストラップである。
【発明の効果】
【０００８】
以上の説明から明らかなように、本発明にあっては次に列挙する効果が得られる。
＜請求項１記載の発明の効果＞
コード通し取付け孔を有する孔付き物品、
前記コード取付け孔に折り二本にして通すことが可能な太さの１本の非ループ形態であるコードからなるストラップ本体、このストラップ本体の一方の端方に設けられた第１の潜らせ物品、前記ストラップ本体の他方に設けられた第２の潜らせ物品とからなる携帯ストラップを前記コート通し取付け孔に取り付ける取付方法であって、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品と前記第２の潜らせ物品を潜らせ、前記第１の潜らせ物品と前記第２の潜らせ物品あるいはその二本のコード部分引いて前記潜らせループを締めることによって取り付けることを特徴とする携帯ストラップの取付方法であるので、次に述べるような効果を奏する。
すなわち、
（１）コード通し取付け孔付き物品の取り付け根本部分からコードが二股に枝分かれし非ループ形態の開放された形態である開放二股形態（以下「取り付け根本分かれ開放二股形態」という）を実現し、よって、取り付け根本分かれ開放二股形態によって枝分かれした一方のコードに第１の潜らせ物品を一方のコードが設けられ、枝分かれした他方のコードに第２の潜らせ物品を設けた携帯ストラップを実現するという効果を奏する。
（２）また、第１の潜らせ物品と第２の潜らせ物品を同時には潜らせループに通せない大きさないし形態のものであっても、潜らせ物品を一つ一つ潜らせループに潜らせることによって潜らせ取り付けることを可能とするものである。
＜請求項２記載の発明の効果＞
コード通し取付け孔を有する孔付き物品、
前記コード取付け孔に折り二本にして通すことが可能な太さの１本の非ループ形態であるコードからなるストラップ本体、このストラップ本体の一方の端方に設けられた第１の潜らせ物品、前記ストラップ本体の他方に設けられた第２の潜らせ物品、前記ストラップ本体に摩擦移動可能に取り付けられかつ好みの位置でその弾性摩擦力によって止め置くことができる少なくとも２個の摩擦移動ストッパーとからなる携帯ストラップを前記コート通し取付け孔に取り付ける取付方法であって、
前記摩擦移動ストッパーの少なくとも１個を前記第１の潜らせ物品側に位置させて第１の側の摩擦移動ストッパーとし、前記摩擦移動ストッパーの少なくとも１個を前記第２の潜らせ物品側に位置させて第２の側の摩擦移動ストッパーとし、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品および前記第１の側の摩擦移動ストッパーと前記第２の潜らせ物品および前記第２の側の摩擦移動ストッパーを潜らせ、前記第１の潜らせ物品と前記第２の潜らせ物品あるいはその二本のコード部分引いて前記潜らせループを締め、前記第１の側の摩擦移動ストッパーおよび前記第２の側の摩擦移動ストッパーを前記孔付き物品側に移動させて止め置き、この止め置きによって締めた前記潜らせループが広がらないように取り付けることを特徴とする携帯ストラップの取付方法であるので、請求項１記載の発明と同様な効果を奏するとともに、次に述べるような効果を奏する。
すなわち、
第１の側の摩擦移動ストッパーと第２の側の摩擦移動ストッパーによって、締めた潜らせループのコードが引っ張られる、あるいは一方のコードが引っ張れれても、第１の側の摩擦移動ストッパーと第２の側の摩擦移動ストッパーが潜らせループないし孔付き物品にあたって、コードの移動をその弾性摩擦力によって止めるので、潜らせループが広がる、コードが移動することが容易には行い、すなわち、方のコードと他方のコードの長さが容易には変わらない状態を実現するという効果を奏する。
＜請求項３記載の発明の効果＞
第１の潜らせ物品および第２の潜らせ物品あるいはいずれか一方が、カニ環や引き環などの開閉部付き環部材、単なる環部材あるいはストラップ本体をループ形成した環部などからなる後付物品着脱部であって、この後付物品着脱部を潜らせループに潜らせた後で該後付物品着脱部に後付物品を着脱自在形態で取り付けられるようにしたことを特徴とする請求項１、２のいずれかに記載の携帯ストラップの取付方法であるので、請求項１、２のいずれかに記載の発明と同様な効果を奏するとともに、次に述べるような効果を奏する。
すなわち、
第１の潜らせ物品および第２の潜らせ物品あるいはいずれか一方に潜らせ物品以外の、大きさ形態に制限のない多様な形態の後付物品を着脱自在形態で取り付けることができるという効果を奏する。
＜請求項４記載の発明の効果＞
コード通し取付け孔を有する孔付き物品、
前記コード取付け孔に折り二本にして通すことが可能な太さの１本の非ループ形態であるコードからなるストラップ本体と、
このストラップ本体の一方の端方に設けられた第１の潜らせ物品と、
前記ストラップ本体の他方に設けられた第２の潜らせ物品とからなるとともに、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品と前記第２の潜らせ物品を潜らせ、前記第１の潜らせ物品と前記第２の潜らせ物品あるいはその二本のコード部分引いて前記潜らせループを締めることによって取り付けることを特徴とする携帯ストラップであるので、前記請求項１記載の発明と同様な効果を奏する。
＜請求項５記載の発明の効果＞
ストラップ本体に摩擦移動可能に取り付けられかつ好みの位置でその弾性摩擦力によって止め置くことができる少なくとも２個の摩擦移動ストッパーを設けるとともに、
前記摩擦移動ストッパーの少なくとも１個を第１の潜らせ物品側に位置させて第１の側の摩擦移動ストッパーとし、摩擦移動ストッパーの少なくとも１個を前記第２の潜らせ物品側に位置させて第２の側の摩擦移動ストッパーとし、
前記ストラップ本体を折り二本にして、その折り部分を先頭に前記コード取付け孔に一方の側から通し、他方の側に前記コード通し取り付け孔から通り抜けた部分を引き出し広げて潜らせループを形成し、この潜らせループに前記一方の側に位置している前記第１の潜らせ物品および前記第１の側の摩擦移動ストッパーと前記第２の潜らせ物品および前記第２の側の摩擦移動ストッパーを潜らせ、前記第１の潜らせ物品と前記第２の潜らせ物品あるいはその二本のコード部分引いて前記潜らせループを締め、前記第１の側の摩擦移動ストッパーおよび前記第２の側の摩擦移動ストッパーを前記孔付き物品側に移動させて止め置き、この止め置きによって締めた前記潜らせループが広がらないように取り付けることを特徴とする請求項４記載の携帯ストラップであるので、請求項４記載の発明と同様な効果を奏するとともに、前記請求項２記載の発明と同様な効果を奏する。
＜請求項６記載の発明の効果＞
第１の潜らせ物品および第２の潜らせ物品あるいはいずれか一方が、カニ環や引き環などの開閉部付き環部材、単なる環部材あるいはストラップ本体をループ形成した環部などからなる後付物品着脱部であって、この後付物品着脱部を潜らせループに潜らせた後で該後付物品着脱部に後付物品を着脱自在形態で取り付けられるようにしたことを特徴とする請求項４、５のいずれかに記載の携帯ストラップであるので、請求項４、５のいずれか一方に記載の発明と同様な効果を奏するとともに、前記請求項３記載の発明と同様な効果を奏する。
【図面の簡単な説明】
【０００９】
【図１】本発明の実施例１を示す正面図および摩擦移動ストッパーの内部構造を示す拡大平面図。
【図２】本発明の実施例１の孔付き物品への取付け手順斜視図。
【図３】図２の続き。
【図４】図３の続き。
【図５】本発明の実施例２を示す正面図。
【図６】本発明の実施例２の孔付き物品への取付け手順斜視図。
【図７】図６の続き。
【図８】本発明の実施例３の孔付き物品への取付け状態図。
【図９】本発明の実施例４の正面図。
【図１０】本発明の実施例５の平面図および正面図。
【図１１】実施例６の孔付き物品への取付け手順図。
【発明を実施するための最良の形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１〜図４に示す本発明の実施例１において、１は携帯ストラップであって、携帯ストラップ１は、コード通し取付け孔２を有する孔付き物品３、
前記コード取付け孔２に折り二本にして通すことが可能な太さの１本（１本のみ）の非ループ形態であるコードからなるストラップ本体４と、
このストラップ本体４の一方の端方に設けられた六角体形態の潜らせ物品５と、
前記ストラップ本体４の他方に設けられた八角体形態の潜らせ物品６とからなるとともに、
前記ストラップ本体４を折り二本にして、その折り部分を先頭に前記コード取付け孔２に一方の側から通し、他方の側に前記コード通し取り付け孔２から通り抜けた部分を引き出し広げて潜らせループ７を形成し、この潜らせループ７に前記一方の側に位置している前記潜らせ物品５と前記潜らせ物品６を同時にあるいは一つずつ潜らせ、前記潜らせ物品５と前記潜らせ物品６あるいは二本のコード部分４ａ、４ｂを引いて前記潜らせループ７を締めることによって取り付ける。
【００１２】
この構成によって、前記ストラップ本体４を折り二本にして、その折り部分を先頭に前記コード取付け孔２に一方の側から通し、他方の側に前記コード通し取り付け孔２から通り抜けた部分を引き出し広げて前記潜らせループ７を形成し（図２の（ａ）参照）、この潜らせループに前記一方の側に位置している前記潜らせ物品５と前記潜らせ物品６を同時にあるは一つずつ潜らせ（図２の（ｂ）、図３の（ｃ）参照）、前記潜らせ物品５と前記潜らせ物品６あるいはその二本のコード部分引いて前記潜らせループ７を締め（図３の（ｄ）参照）ることによって取り付けるという携帯ストラップの取付方法を実現しているものである。
【００１３】
また、携帯ストラップ１にあっては、ストラップ本体４に摩擦移動可能に取り付けられかつ好みの位置でその弾性摩擦力によって止め置くことができる摩擦移動ストッパー８、９を設けるとともに、
前記摩擦移動ストッパー８、９の潜らせ物品５側に位置させて潜らせ物品５側の摩擦移動ストッパーとし、摩擦移動ストッパー９を潜らせ物品６側に位置させて潜らせ物品６側の摩擦移動ストッパーとし、
前記ストラップ本体４を折り二本にして、その折り部分を先頭に前記コード取付け孔２に一方の側から通し、他方の側に前記コード通し取り付け孔２から通り抜けた部分を引き出し広げて潜らせループ７を形成し、この潜らせループ７に前記潜らせ物品５および前記摩擦移動ストッパー８と前記潜らせ物品６および前記摩擦移動ストッパー９を同時にあるいは一つずつ潜らせ、前記潜らせ物品５と前記潜らせ物品６あるいは二本のコード部分４ａ、４ｂ引いて前記潜らせループ７を締め、前記摩擦移動ストッパー８および前記摩擦移動ストッパー９を前記孔付き物品３側に移動させて止め置き、この止め置きによって締めた前記潜らせループ７が広がらないように取り付ける。
摩擦移動ストッパーは少なくとも２個であり、２個以上でもよい。
【００１４】
この摩擦移動ストッパー８、９を設けた構成によって、前記ストラップ本体４を折り二本にして、その折り部分を先頭に前記コード取付け孔２に一方の側から通し、他方の側に前記コード通し取り付け孔２から通り抜けた部分を引き出し広げて潜らせループ７を形成し（図２の（ａ）参照）、この潜らせループ７に前記一方の側に位置している前記潜らせ物品５および前記摩擦移動ストッパー８と前記潜らせ物品６および前記摩擦移動ストッパー９を同時にあるいは一つずつ潜らせ（図２の（ｂ）、図３の（ｃ）参照）、前記潜らせ物品５と前記潜らせ物品６あるいはその二本のコード部分４ａ、４ｂ引いて前記潜らせループ７を締め（図３の（ｄ）参照）、前記摩擦移動ストッパー８および前記摩擦移動ストッパー９を前記孔付き物品３側に移動させて止め置き（図４の（ｅ）参照）、この止め置きによって締めた前記潜らせループ７が広がらないように取り付ける携帯ストラップの取付方法を実現しているものである。
【００１５】
摩擦移動ストッパー８（９）は次のような構成となってる。
この摩擦移動ストッパー８（９）はシリコンゴム製部材、天然ゴム製部材、弾性合成樹脂製部材あるいは合成ゴム製部材などの弾性部材からなる弾性体１５と、
この弾性体１５に設けられたストラップ本体４を通し摩擦移動させることができるストラップ本体４の太さよりも小径孔のコード通し孔１６と、前記弾性体１５の成形時に該弾性体１５に一体的に内設された、金属製線部材、カーボンファイバー製線部材あるいは硬質合成樹脂製線部材などの硬質線部材からなる、前記コード通し孔１６に通される前記ストラップ本体４を該弾性体１５の弾性肉とともに一体となって押さえ動作をする硬質押さえ部位（第１の硬質押さえ部位１７ａ、第２の硬質押さえ部位１１７ｂ）を有する硬質押さえ部材１７と、この硬質押さえ部材１７の一部が弾性体１５から外に突き出した環部位からなる環部１８からなっている。
硬質押さえ部材１７のより具体的な構成は、硬質押さえ部材１７がコード通し孔１６に通されたストラップ本体４の対抗する両側で直接的にあるいは弾性肉を間にして挟み押さえ動作するように、該通し孔２の両側に対抗するように第１の硬質押さえ部位１７ａと第２の硬質押さえ部位１７ｂを設け、前記第１の硬質押さえ部位１７ａの端方を内側に折り曲げ突き出るように形成した弾性体１５から前記硬質押さえ部材１７が抜けるのを阻止する第１の抜け阻止部１９ａを設け、前記第２の硬質押さえ部位１７ｂの端方を内側に折り曲げて前記第１の抜け阻止部１９ａと交差し突き出るように形成した前記弾性体１５から前記硬質押さえ部材１７が抜けるのを阻止する第２の抜け阻止部１９ｂを設けてなる構成となっている。
【００１６】
摩擦移動ストッパー９の環部１８には、リング２１を介して引き環２２を設けてなる星形の飾り物品２３が該引き環２２が掛けられて取り付けられている。
【実施例２】
【００１７】
図５〜図７に示す本発明の実施例２において前記実施例１と主に異なる点は、潜らせ物品の一方の側を、ストラップ本体４の一方に取り付けられた筒部材２５および該筒部材２５の側部対向面にあけられた孔（図示せず省略）に通されて取り付けられた環部材２６からなる潜らせ物品２７とし、潜らせ物品の他方の側を、ストラップ本体４の他方に取り付けられた筒部材２５および該筒部材２５の側部対向面にあけられた孔（図示せず省略）に通されて取り付けられた環部材２６からなる潜らせ物品２８としてなる携帯ストラップ２９を形成した点にある。
実施例１のものと同様に取り付け（図６の（ａ）〜（ｃ）参照）、図７においは、リング２１を介して引き環２２を設けてなる動物形の飾り物品３１を潜らせ物品２７の環部材２６に掛けて取り付け、リング２１を介して引き環２２を設けてなる電車笛形の飾り物品３２を潜らせ物品２８の環部材２６に掛けて取り付けている。飾り物品は多様なものがある。引き環２２に限定されずカニ環などの開閉部付き環部材であればよい。
【実施例３】
【００１８】
図８に示す本発明の実施例３において前記実施例２と主に異なる点は、潜らせ物品の一方の側を、環部材２６に引き環２２を取り付けてなる潜らせ物品３５とし、潜らせ物品の他方の側を、環部材２６に引き環２２を取り付けてなる潜らせ物品３６とし、リング２１を設けた飾り物品３７、リング２１を設けた飾り物品３８などのリング付き飾り物品を、リング２１を引き環２２に掛け取り付けることができるようにしてなる携帯ストラップ３９を形成した点にある。
【実施例４】
【００１９】
図９に示す本発明の実施例４において前記実施例２と主に異なる点は、潜らせ物品の一方の側を、ストラップ本体４の先端側をループ形成結び目で形成してなる潜らせ物品４０とし、潜らせ物品の他方の側を、ストラップ本体４の先端側をループ形成結び目で形成してなる潜らせ物品４１とした携帯ストラップ４２を形成した点にある。
摩擦移動ストッパー８、９の環部１８には予め引き環２２を有してなる飾り物品４３、４４が着脱自在に掛け取り付けられている。
飾り物品４３、４４を外して孔付き物品３に取り付け、取り付け完了してから飾り物品４３、４４を、摩擦移動ストッパー８、摩擦移動ストッパー９、潜らせ物品４０あるいは潜らせ物品４１に取り付ける。
【実施例５】
【００２０】
図１０、図１１に示す実施例５において、５０は携帯ストラップであって、この携帯ストラップ５０は、ストラップ本体４と、このストラップ本体４の一方の端方に設けられた、前記ストラップ本体４を底部の略中央から出るように直接的に取り付けてなり、かつ、コード通し取付け孔２を通らない形態である飾り部材５１と、ストラップ本体４に摩擦移動可能に取り付けられかつ好みの位置でその弾性摩擦力によって止め置くことができる摩擦移動ストッパー８（複数個でもよい）と、ストラップ本体４の他方の端方に設けた、摩擦移動ストッパー８がストラップ本体４から抜けないようにするためのストッパー５２とからなっている。
ストッパー５２は目立たない可能な限り小さいものでよい。摩擦移動ストッパー８が抜け無ければよいので、例えば、単なる結び目でもよい。
摩擦移動ストッパー８をストッパー５２側にして、ストラップ本体４を折り、その折り頭をコード通し取付け孔２に通して潜らせループ７を形成し(図１１の（ａ）参照)、この潜らせループ７にストッパー５２および摩擦移動ストッパー８を潜らせ、そのままストッパー５２を引っ張り引いて潜らせループ７を締め、さらにストッパー５２を飾り部材５１が孔付き物品３に当り止まるまで引っ張り引き、摩擦移動ストッパー８を孔付き物品３に当るまで移動させ(図１１の（ｂ）参照)止め置く。
飾り部材を携帯電話などの孔付き物品３に当接した状態に取り付けることができる。
ストラップ本体４の長さはストッパー５２および摩擦移動ストッパー８が潜る大きさの潜らせループを形成する長さであればよく、よって、孔付き物品から出るストラップ本体４の長さは２．５ｃｍ〜４ｃｍ程度でよく、ストッパーは球体などで可能な限り小さくし、ストラップ本体４と類似色とすることにより、目立たなくポケットやバックから取り出すときに引っ掛からないものとできる。
これによって、ループコードをストラップ本体とする従来の携帯ストラップの、携帯電話などの孔付き物品に飾りを当接状態で取り付けることができないという欠点を解消するものである。
【００２１】
コード通し取付け孔を有する孔付き物品、
ストラップ本体、このストラップ本体の一方の端方に設けられた、前記ストラップ本体を底部の略中央から出るように直接的に取り付けてなり、かつ、前記コード通し取付け孔を通らない形態である飾り部材、前記ストラップ本体に摩擦移動可能に取り付けられかつ好みの位置でその弾性摩擦力によって止め置くことができる摩擦移動ストッパー、前記ストラップ本体の他方の端方に設けた、前記摩擦移動ストッパーが前記ストラップ本体から抜けないようにするためのストッパーとからなっている携帯ストラップの取り付け方法であって、
前記摩擦移動ストッパーを前記ストッパー側にして、前記ストラップ本体を折り、その折り頭を前記コード通し取付け孔に通して潜らせループを形成し、この潜らせループに前記ストッパーおよび前記摩擦移動ストッパーを潜らせ、そのまま前記ストッパーを引っ張り引いて前記潜らせループを締め、さらに前記ストッパーを前記飾り部材が前記孔付き物品に当り止まるまで引っ張り引き、前記摩擦移動ストッパーを前記孔付き物品に当るまで移動させ止め置くようにして取り付けることを特徴とする携帯ストラップの取り付け方法。
携帯ストラップ５０は上記携帯ストラップの取り付け方法を実現するものである。
【００２２】
飾り部材はストラップ本体が出ている底部面が平面であるものがよい。
また、底部面の一部ないし側面の一部が下方に突出した突き出し部を形成して、この突き出し部が孔付き物品の側面部の全部ないし一部を覆う側面覆い部とし、孔付き物品の側面部に見えているストラップ本体部位を隠すようにしてなる形態とするのもよい。
【産業上の利用可能性】
【００２３】
本発明はストラップを製造、販売する産業で利用される。
【符号の説明】
【００２４】
１：携帯ストラップ、
２：コード通し取付け孔、
３：孔付き物品、
４：ストラップ本体、
４ａ：コード部分、
４ｂ：コード部分、
５：潜らせ物品、
６：潜らせ物品、
７：潜らせループ、
８：摩擦移動ストッパー、
９：摩擦移動ストッパー、
１５：弾性体、
１６：コード通し孔、
１７：硬質押さえ部材、
１７ａ：第１の硬質押さえ部位、
１７ｂ：第２の硬質押さえ部位、
１８：環部、
１９ａ：第１の抜け阻止部、
１９ｂ：第２の抜け阻止部、
２１：リング、
２２：引き環、
２３：飾り物品、
２５：筒部材、
２６：環部材、
２７：潜らせ物品、
２８：潜らせ物品、
２９：携帯ストラップ、
３１：飾り物品、
３２：飾り物品、
３５：潜らせ物品、
３６：潜らせ物品、
３７：飾り物品、
３８：飾り物品、
３９：携帯ストラップ、
４０：潜らせ物品、
４１：潜らせ物品、
４２：携帯ストラップ、
４３：飾り物品、
４４：飾り物品、
５０：携帯ストラップ、
５１：飾り部材、
５２：ストッパー。
【要約】      （修正有）【課題】ストラップ本体の両端方にそれぞれ別体の潜らせ物品を設けるとともに、取り付け根本分かれ開放二股形態での取付けを実現する携帯ストラップの取付方法および携帯ストラップを提供する。【解決手段】ストラップ本体４を折り二本にして、その折り部分を先頭にコード取付け孔に一方の側から通し、他方の側にコード通し取り付け孔から通り抜けた部分を引き出し広げて潜らせループを形成し、この潜らせループに一方の側に位置している潜らせ物品５と潜らせ物品６を同時にあるいは一つずつ潜らせ、前記潜らせ物品５と前記潜らせ物品６あるいはその二本のコード部分を引いて前記潜らせループを締めることによって取り付けるという携帯ストラップの取付方法を実現している。【選択図】図１【図１】
0004819974.tif 000002
【図２】
0004819974.tif 000003
【図３】
0004819974.tif 000004
【図４】
0004819974.tif 000005
【図５】
0004819974.tif 000006
【図６】
0004819974.tif 000007
【図７】
0004819974.tif 000008
【図８】
0004819974.tif 000009
【図９】
0004819974.tif 000010
【図１０】
0004819974.tif 000011
【図１１】
0004819974.tif 000012